(57)【要約】【課題】開放感を感じさせる空間的な広がりを持つ階段を有する建物を得ること、更にはプラニングの自由度を高めることができる階段を有する建物を得ることを目的とする。【解決手段】建物ユニット１２の天井大梁２４と床大梁２８との間には一対の中柱３２、３４が設置されている。一方の中柱３２には上部階段５６の上側階段梁６０の端部が固定されており、又他方の中柱３４には下部階段５８の下側階段梁の端部が固定されている。これにより、従来では階段下方に柱や壁が設置されていた閉鎖的な空間が、このような柱や壁が存在しない開放的な空間が形成される。また、これによりプラニングの自由度も増す。【選択図】図１
2007146499.tif 000002
【特許請求の範囲】
【請求項１】
天井梁と当該天井梁と建物高さ方向に対向して配置された床梁とを梁の端部以外の所定位置で建物高さ方向に繋ぐ中柱と、
階段昇降方向に延在されて一部が天井側又は床側に固定されると共に他の一部が前記中柱に直接的に固定され、当該階段に加わる荷重を支持する階段構造材と、
を備えたことを特徴とする階段を有する建物。
【請求項２】
前記階段構造材は、階段側面視で屈曲した形状を成しており、前記中柱に繋がり所定のスパン長を有する水平部と、当該水平部における中柱と反対側の端部から階段昇降方向へ延びる屈曲部と、を含んで構成されている、
ことを特徴とする請求項１記載の階段を有する建物。
【請求項３】
前記水平部には、踊場パネルが支持されている、
ことを特徴とする請求項２記載の階段を有する建物。
【請求項４】
前記中柱は所定の間隔をあけて二本設けられており、
一方の中柱には天井側へ向けて傾斜された前記階段構造材の端部が固定されていると共に、他方の中柱には床側へ向けて傾斜された前記階段構造材の端部が固定されている、
ことを特徴とする請求項１乃至請求項３のいずれか一項に記載の階段を有する建物。
【請求項５】
前記天井側へ向けて傾斜された階段構造材と前記床側へ向けて傾斜された階段構造材とは非連結状態で並列的に配置されている、
ことを特徴とする請求項４記載の階段を有する建物。
【請求項６】
前記天井梁及び前記床梁は建物ユニットのユニット天井梁及びユニット床梁とされ、
前記天井側へ向けて傾斜された階段構造材の上端部は当該ユニット天井梁と対向する反対側のユニット天井梁に固定されていると共に、
前記床側へ向けて傾斜された階段構造材の下端部は当該ユニット床梁と対向する反対側のユニット床梁に固定されている、
ことを特徴とする請求項１乃至請求項５のいずれか一項に記載の階段を有する建物。
【請求項７】
前記階段構造材には複数の踏板が所定の間隔で取り付けられていると共に、当該複数の踏板は建物内壁面に対して非固定状態で配置されている、
ことを特徴とする請求項１乃至請求項６のいずれか一項に記載の階段を有する建物。
【発明の詳細な説明】
【技術分野】
【０００１】
本発明は、階段を有する建物に関する。
【背景技術】
【０００２】
下記特許文献１には、上下階を昇降するための階段を、床構造体と壁構造体と天井構造体とを接合して構成された専用の階段室ユニット内に設置する技術が開示されている。なお、階段室ユニットは、上下階に亘って連続する単一ユニットとされ、吹き抜け空間を形成するようになっている。
【特許文献１】特開平８−１５８４８３号公報
【発明の開示】
【発明が解決しようとする課題】
【０００３】
しかしながら、上記特許文献１に開示された先行技術による場合、階段の一部が階段室ユニットの壁構造体の壁面に固定されているので、空間的な広がり（開放感）を表現することができない。
【０００４】
また、専用の階段室ユニットを用意しなければならず、他の居室とは分離された空間になってしまう。従って、この構成による場合、例えばリビングの中に階段を配置するといったことはできないことになる。このため、プラニングが制約される。
【０００５】
本発明は上記事実を考慮し、開放感を感じさせる空間的な広がりを持つ階段を有する建物を得ること、更にはプラニングの自由度を高めることができる階段を有する建物を得ることを目的とする。
【課題を解決するための手段】
【０００６】
請求項１記載の本発明に係る階段を有する建物は、天井梁と当該天井梁と建物高さ方向に対向して配置された床梁とを梁の端部以外の所定位置で建物高さ方向に繋ぐ中柱と、階段昇降方向に延在されて一部が天井側又は床側に固定されると共に他の一部が前記中柱に直接的に固定され、当該階段に加わる荷重を支持する階段構造材と、を備えたことを特徴としている。
【０００７】
請求項２記載の本発明は、請求項１記載の階段を有する建物において、前記階段構造材は、階段側面視で屈曲した形状を成しており、前記中柱に繋がり所定のスパン長を有する水平部と、当該水平部における中柱と反対側の端部から階段昇降方向へ延びる屈曲部と、を含んで構成されている、ことを特徴としている。
【０００８】
請求項３記載の本発明は、請求項２記載の階段を有する建物において、前記水平部には、踊場パネルが支持されている、ことを特徴としている。
【０００９】
請求項４記載の本発明は、請求項１乃至請求項３のいずれか一項に記載の階段を有する建物において、前記中柱は所定の間隔をあけて二本設けられており、一方の中柱には天井側へ向けて傾斜された前記階段構造材の端部が固定されていると共に、他方の中柱には床側へ向けて傾斜された前記階段構造材の端部が固定されている、ことを特徴としている。
【００１０】
請求項５記載の本発明は、請求項４記載の階段を有する建物において、前記天井側へ向けて傾斜された階段構造材と前記床側へ向けて傾斜された階段構造材とは非連結状態で並列的に配置されている、ことを特徴としている。
【００１１】
請求項６記載の本発明は、請求項１乃至請求項５のいずれか一項に記載の階段を有する建物において、前記天井梁及び前記床梁は建物ユニットのユニット天井梁及びユニット床梁とされ、前記天井側へ向けて傾斜された階段構造材の上端部は当該ユニット天井梁と対向する反対側のユニット天井梁に固定されていると共に、前記床側へ向けて傾斜された階段構造材の下端部は当該ユニット床梁と対向する反対側のユニット床梁に固定されている、ことを特徴としている。
【００１２】
請求項７記載の本発明は、請求項１乃至請求項６のいずれか一項に記載の階段を有する建物において、前記階段構造材には複数の踏板が所定の間隔で取り付けられていると共に、当該複数の踏板は建物内壁面に対して非固定状態で配置されている、ことを特徴としている。
【００１３】
請求項１記載の本発明によれば、建物高さ方向に対向して配置された天井梁と床梁とを梁の端部以外の所定位置で建物高さ方向に繋ぐ中柱を設けたので、中柱は充分な強度を有している。そして、この中柱に、一部が天井側又は床側に固定された階段構造材の他の一部を直接的に固定することとしたので、階段の自重及び人の動荷重等を階段構造材で充分に支持することができる。従って、従来のように階段を設置するために別途設ける壁や柱が本発明では不要となるため、開放的な空間が得られる。
【００１４】
また、中柱を設置することにより、室内中央部等にも階段を設置することが可能となる。換言すれば、中柱を設置することさえできれば、階段を設置することができる。従って、従来に比べて階段の設置箇所の自由度が高い。
【００１５】
請求項２記載の本発明によれば、階段構造材が水平部と屈曲部とを備えているので、屈曲部を踏板の設置に利用し、中柱に繋がる水平部を別の用途に利用することができる。
【００１６】
請求項３記載の本発明によれば、階段構造材の水平部に踊場パネルが支持される構成としたので、Ｌ形階段やＵ形階段等の設置が可能となる。
【００１７】
請求項４記載の本発明によれば、中柱が所定の間隔をあけて二本設けられており、一方の中柱には天井側へ向けて傾斜された階段構造材の端部を固定し、他方の中柱には床側へ向けて傾斜された階段構造材の端部を固定する構成としたので、中柱一本当たりに要求される支持強度が天井側へ向けて傾斜した階段分又は床側へ向けて傾斜した階段分で済む。従って、一本の中柱でＬ形階段やＵ形階段を支持する場合に比し、中柱の必要強度を下げることができる。
【００１８】
請求項５記載の本発明によれば、天井側へ向けて傾斜された階段構造材と床側へ向けて傾斜された階段構造材とを非連結状態で並列的に配置したので、天井側へ向けて傾斜された階段と床側へ向けて傾斜された階段とを個別に組み付けることができる。従って、組付対象となる階段の重量を総重量の半分にして中柱への組付を行うことができる。
【００１９】
請求項６記載の本発明によれば、ユニット建物を構築するための建物ユニットの中に階段を設置することができる。具体的には、天井側へ向けて傾斜された階段構造材の上端部を、中柱が固定されるユニット天井梁と対向する反対側のユニット天井梁に固定すると共に、床側へ向けて傾斜された階段構造材の下端部を、中柱が固定されるユニット床梁と対向する反対側のユニット床梁に固定することにより、建物ユニットの中に壁等に依存することなく階段を自由なデザインで設置することができる。しかも、工場内で階段の設置までを行うことができるので、組付誤差等が少なく安定した品質を確保することができる。
【００２０】
請求項７記載の本発明によれば、階段構造材に複数の踏板を所定の間隔で取り付けると共に建物壁面に対して非固定状態で配置したので、所謂スケルトンタイプの階段を設置することができる。
【発明の効果】
【００２１】
以上説明したように、請求項１記載の本発明に係る階段を有する建物は、開放感を感じさせる空間的な広がりを表現することができ、更にはプラニングの自由度を高めることができるという優れた効果を有する。
【００２２】
請求項２記載の本発明に係る階段を有する建物は、設置可能な階段のデザインの自由度を高めることができるという優れた効果を有する。
【００２３】
請求項３記載の本発明に係る階段を有する建物は、踊場を含んだ階段の設置に好適であるという優れた効果を有する。
【００２４】
請求項４記載の本発明に係る階段を有する建物は、中柱の強度を特別に高くすることなく、Ｕ形階段を設置することができるという優れた効果を有する。
【００２５】
請求項５記載の本発明に係る階段を有する建物は、天井側へ向けて傾斜された階段と床側へ向けて傾斜された階段とを別個に中柱に組み付けることができるので、組付作業労力を軽減することができるという優れた効果を有する。
【００２６】
請求項６記載の本発明に係る階段を有する建物は、ユニット建物の内部に、安定した品質の階段を自由な住宅プランで設置することができるという優れた効果を有する。
【００２７】
請求項７記載の本発明に係る階段を有する建物は、所謂スケルトンタイプの階段の設置が可能になるという優れた効果を有する。
【発明を実施するための最良の形態】
【００２８】
〔第１実施形態〕
以下、図１〜図８を用いて、本発明に係る階段を有する建物の第１実施形態について説明する。
【００２９】
図１には、本実施形態に係る階段１０を備えた建物ユニット１２を含んで構成されたユニット建物１４の要部が斜視図で示されている。この図に示されるように、建物ユニット１２は箱形とされており、天井パネル１６及び床パネル１８並びに両者を繋ぐ複数の柱２０を躯体として備えている。なお、図１では、これらの天井パネル１６、床パネル１８、柱２０をすべて二点鎖線で図示している。
【００３０】
補足すると、天井パネル１６は、長短二種類の天井大梁２２、２４を備えている他、短い方の天井大梁２４に対して平行に所定の間隔で配置された複数の天井小梁を備えており、更に天井板を備えている。同様に、床パネル１８は、長短二種類の床大梁２６、２８を備えている他、短い方の床大梁２８に対して平行に所定の間隔で配置された複数の床小梁を備えており、更に床板を備えている。また、この建物ユニット１２には、階段１０が設置される関係で天井パネル１６に上下階を連通する開口部３０が形成されている。
【００３１】
ここで、本実施形態では、図１及び図２に示されるように、外壁３６側で建物高さ方向に対向する短辺側の天井大梁２４と床大梁２８との間に、二本の中柱３２、３４が立設されている。二本の中柱３２、３４は所定の間隔をあけて配置されており、上端部は天井大梁２４に接合され、下端部は床大梁２８に接合されている。
【００３２】
より詳細に説明すると、図３〜図５に示されるように、中柱３２、３４は断面コ字状とされており、開放側の端部が外壁３６側を向くように配置されている。なお、外壁３６はその裏面に配置された外壁フレーム３８の上下端部にてボルト４０及びナット４２によって天井大梁２４及び床大梁２８に固定されている。また、中柱３２、３４の上端部及び下端部には、アングル状の上側ブラケット４４及び下側ブラケット４６がそれぞれ溶接により接合されている。そして、上側ブラケット４４のフランジが天井大梁２４のウェブに又下側ブラケット４６のフランジが床大梁２８のウェブにそれぞれ当接状態で配置されて、ボルト４８をユニット外方からユニット内方へ向けて挿入しナット５０に螺合させることにより、中柱３２、３４が天井大梁２４及び床大梁２８に固定されている。補足すると、このようなブラケット構造を用いたのは、工場での組付作業性を考慮してユニット外方からの組付を可能とするためである。また、中柱３２、３４の納まり状態では、天井材５２の天井面５２Ａよりも上方に中柱３２、３４の上端面が位置されており、又床材５４の床面５４Ａよりも下方に中柱３２、３４の下端面が位置されている。
【００３３】
上述した中柱３２、３４には、Ｕ形の階段１０が固定されている。すなわち、本実施形態では、上記構成の中柱３２、３４を利用してＵ形の階段１０を設置している。
【００３４】
図１及び図６に示されるように、階段１０は、上部階段５６と下部階段５８とによって構成されている。上部階段５６は、側面視で上下逆向きの略「へ」の字状に屈曲された階段構造材としての上側階段梁６０を備えている。上側階段梁６０は、上側水平部６０Ａと当該上側水平部６０Ａのユニット内方側の端部から所定の傾斜角度で天井パネル１６側へ屈曲された上側屈曲部６０Ｂとによって構成されている。上側水平部６０Ａのユニット外方側の端部６０Ａ’は、一方の中柱３２の高さ方向中間部にボルトで又は溶接により固定されている。また、上側屈曲部６０Ｂの上端部（ユニット内方側の端部）６０Ｂ’は、図示しない天井小梁にボルトで又は溶接により固定されている。さらに、上側水平部６０Ａの上面には幅広のチャンネル状に形成された上側踊場受け材６２が溶接接合されており、当該上側踊場受け材６２に上側踊場パネル６４が嵌着されている。また、上側屈曲部６０Ｂには、所定の間隔で狭幅のチャンネル状に形成された複数の上側踏板受け材６６が溶接接合されている。各上側踏板受け材６６には、上側踏板６８がそれぞれ嵌着されている。
【００３５】
同様に、下部階段５８は、側面視で略「へ」の字状に屈曲された階段構造材としての下側階段梁７０を備えている。下側階段梁７０は、下側水平部７０Ａと当該下側水平部７０Ａのユニット内方側の端部から所定の傾斜角度で床パネル１８側へ屈曲された下側屈曲部７０Ｂとによって構成されている。下側水平部７０Ａのユニット外方側の端部７０Ａ’は、他方の中柱３４の高さ方向中間部にボルトで又は溶接により固定されている。また、下側屈曲部７０Ｂの下端部７０Ｂ’は、図示しない床小梁にボルトで又は溶接により固定されている。さらに、下側水平部７０Ａの上面には幅広のチャンネル状に形成された下側踊場受け材７２が溶接接合されており、当該下側踊場受け材７２に下側踊場パネル７４が嵌着されている。また、下側屈曲部７０Ｂには、所定の間隔で狭幅のチャンネル状に形成された複数の下側踏板受け材７６が溶接接合されている。各下側踏板受け材７６には、下側踏板７８がそれぞれ嵌着されている。
【００３６】
上記の如くスケルトン構造の上部階段５６と下部階段５８とは、互いに連結されることなく、非接触の状態で並列的に配置されている。換言すれば、上部階段５６と下部階段５８とが平面視でオーバーラップしないように、階段幅と一対の中柱３２、３４の間隔が設定されている。
【００３７】
（作用・効果）
次に、本実施形態の作用並びに効果について説明する。
【００３８】
最初に、工場内での組立手順について簡単に説明する。まず、図２に示されるように、ユニット外方側に配置される短辺側の天井大梁２４と床大梁２８との間に一対の中柱３２、３４が所定の間隔をあけて立設される。具体的には、図３〜図５を用いて前述したように、中柱３２、３４の上端部及び下端部に予め溶接接合された上側ブラケット４４と下側ブラケット４６を天井大梁２４及び床大梁２８のウェブにボルト４８で固定する。なお、この際の作業は、外壁３６を取り付ける前にユニット外方側から行われる。
【００３９】
続いて、図６に示されるように、一方の中柱３２の高さ方向中間部に、上部階段５６の骨となる上側階段梁６０のユニット外方側の端部６０Ａ’がボルト接合又は溶接接合される。なお、上側階段梁６０の上端部６０Ｂ’は、図示しない天井小梁にボルト接合又は溶接接合される。同様に、他方の中柱３４の高さ方向中間部に、下部階段５８の骨となる下側階段梁７０のユニット外方側の端部７０Ａ’がボルト接合又は溶接接合される。なお、下側階段梁７０の下端部７０Ｂ’は、図示しない床小梁にボルト接合又は溶接接合される。この時点では、上側階段梁６０及び下側階段梁７０には、上側踊場受け材６２並びに上側踏板受け材６６が既に溶接により所定の間隔で取り付けられている。その後、上側踊場受け材６２には上側踊場パネル６４が嵌着され、上側踏板受け材６６には上側踏板６８が嵌着される。なお、この作業は建築現場で行っても差し支えない。
【００４０】
上記の要領で取り付けられた本実施形態に係る建物ユニット１２では、従来では無かった「中柱３２、３４」というものを天井大梁２４と床大梁２８との間に立設させたので、天井大梁２４、床大梁２８を何ら補強しなくても、中柱３２、３４は階段１０を支えるだけの充分な強度を有している。そして、この中柱３２、３４に上側階段梁６０のユニット外方側の端部６０Ａ’、下側階段梁７０のユニット外方側の端部７０Ａ’をそれぞれ直接固定したので、階段１０の自重や人の動荷重等をこれらの上側階段梁６０及び下側階段梁７０で充分に支持することができる。従って、従来のように階段を設置するために別途設ける壁や柱が本実施形態の階段構造では不要となるため、建物ユニット１２内に開放的な空間が得られる。つまり、図１で見ると、踊場下方のスペース８０に階段用の柱や壁等が存在すると閉鎖的な空間になってしまうが、本実施形態の場合にはこのスペース８０に階段用の柱や壁等が存在しないので、開放的な空間を提供することができる。
【００４１】
更に言及すると、本実施形態の場合、階段１０を壁で支えるのではなく充分な支持強度を有する中柱３２、３４で支えるので、階段の支持荷重の一部を壁で受け持つ従来の構造と比較した場合、図７に示されるように、建物ユニット１２の外壁に大きな窓等の開口部８２を設けることが可能となる。開口部８２を設けることにより、玄関ホール８４から矢印Ａ方向に見たときに図８に示されるように庭８６が見える等、建物ユニット１２内の見通し・風通しが良くなり、開放的な空間の演出に非常に効果的である。
【００４２】
また、中柱３２、３４を設置することにより、室内中央部等にも階段１０を設置することが可能となる。換言すれば、基本的には、中柱３２、３４を設置することさえできれば、階段１０を任意の箇所に設置することができる。従って、従来に比べて階段１０の設置箇所の自由度が高い。
【００４３】
以上を総括すると、本実施形態に係る階段１０を有するユニット建物１４によれば、開放感を感じさせる空間的な広がりを表現することができる。さらには、従来に比し、プラニングの自由度を高めることができる。
【００４４】
さらに、本実施形態に係る階段１０を有するユニット建物１４によれば、以下に列挙する効果が得られる。
【００４５】
まず、階段構造材としての上側階段梁６０及び下側階段梁７０が上側水平部６０Ａ、下側水平部７０Ａと上側屈曲部６０Ｂ、下側屈曲部７０Ｂとを備えているので、上側屈曲部６０Ｂ、下側屈曲部７０Ｂを上側踏板６８、下側踏板７８の設置に利用し、中柱３２、３４に繋がる上側水平部６０Ａ、下側水平部７０Ａを別の用途に利用することができる。従って、設置可能な階段のデザインの自由度を高めることができる。つまり、本実施形態では、上側水平部６０Ａ、下側水平部７０Ａのスパン長をある程度確保して上側踊場パネル６４、下側踊場パネル７４の設置に利用したが、階段の種類が異なり、例えば中柱を一本のみ設置して直階段を設置する場合、階段を降りる際の最後のステップ（階段を昇る際の最初のステップ）を下側踏板７８よりも若干幅広にしかつ床面５４Ａよりも若干上側に設定し、更に当該最後のステップの近くの壁側に短い手摺を取り付ける等して階段の昇降性を良くするといった用途に使うこともできる。その意味で、上側水平部６０Ａ、下側水平部７０Ａが存在すると、設置する階段のデザインの自由度も高められる。
【００４６】
また、本実施形態のように上側水平部６０Ａ、下側水平部７０Ａに上側踊場パネル６４、下側踊場パネル７４を設置するのであれば、Ｕ形階段の設置が可能になるだけでなく、Ｌ形階段の設置も可能になる。つまり、例えば、本実施形態で使った上部階段５６はそのまま使い、下側階段梁７０の下側水平部７０Ａを上側階段梁６０の上側水平部６０Ａの中間部側面に直交して配置させて上側踊場パネル６４を平面視でＴ字状に受け、そこから壁と平行に（或いは壁を設置しない構成を採ってもよい。）下部階段が設置されて構成されるＬ型階段の設置等が可能になる。このように上側階段梁６０、下側階段梁７０の上側水平部６０Ａ、下側水平部７０Ａは、踊場を含んだ階段の設置に好適である。
【００４７】
さらに、本実施形態では、中柱３２、３４が所定の間隔をあけて二本設けられており、一方の中柱３２には上側階段梁６０のユニット外方側の端部６０Ａ’を固定し、他方の中柱３４には下側階段梁７０のユニット外方側の端部６０Ａ’を固定する構成としたので、中柱一本当たりに要求される支持強度が片側の階段分で済む。従って、一本の中柱でＬ形階段やＵ形階段を支持する場合に比し、中柱３２、３４の必要強度を下げることができる。その結果、本実施形態によれば、中柱３２、３４の強度を特別に高くすることなく、Ｕ形の階段１０を設置することができる。
【００４８】
また、本実施形態では、上部階段５６と下部階段５８とを非連結状態で並列的に配置したので、上部階段５６と下部階段５８とを個別に組み付けることができる。従って、組付対象となる階段１０の重量を総重量の半分にして中柱３２、３４への組付を行うことができる。その結果、本実施形態によれば、組付作業労力を軽減することができる。
【００４９】
さらに、本実施形態では、ユニット建物１４に供される建物ユニット１２内に中柱３２、３４を使った階段１０を設置する構成としたので、中柱３２、３４の組付や上側階段梁６０、下側階段梁７０の組付等を工場内ですべて行うことができる。従って、組付誤差等が少なく安定した品質を確保することができる。その結果、本実施形態によれば、安定した品質の階段１０を自由な住宅プランで設置することができる。
【００５０】
加えて、本実施形態では、上側階段梁６０、下側階段梁７０に複数の上側踏板６８、下側踏板７８を所定の間隔で取り付けると共に建物壁面に対して非固定状態で配置したので、所謂スケルトンタイプの階段１０を設置することができる。このようなスケルトンタイプの階段１０の設置が可能となるのも、充分な強度を有する中柱３２、３４の設置を案出したことに依る。
【００５１】
〔第２実施形態〕
次に、図９を用いて、本発明に係る階段を有する建物の第２実施形態について説明する。なお、前述した第1実施形態と同一構成部分については、同一番号を付してその説明を省略する。
【００５２】
図９に示されるように、この第２実施形態では、上側階段梁６０の上側屈曲部６０Ｂの上端部６０Ｂ’を建物ユニット９０の天井大梁２４に直接固定すると共に、下側階段梁７０の下側屈曲部７０Ｂの下端部７０Ｂ’（正確には、下端部７０Ｂ’に接合した固定梁９２のユニット内方側の端部）を建物ユニット９０の床大梁２８に直接固定した点に特徴がある。つまり、前述した第１実施形態では、上側階段梁６０の上側屈曲部６０Ｂの上端部６０Ｂ’を建物ユニット１２の図示しない天井小梁に固定すると共に、下側階段梁７０の下側屈曲部７０Ｂの下端部７０Ｂ’を床小梁に固定していたが、この第２実施形態では主たる取付相手を天井大梁２４、床大梁２８にしている。
【００５３】
また、下側階段梁７０の下側屈曲部７０Ｂの下端部７０Ｂ’には床大梁２６に対して平行な固定梁９２が設けられており、この固定梁９２の両端部を床大梁２８とこれに隣接する床小梁９４とにそれぞれ溶接接合又はボルト接合している。なお、天井側についても同様の構成とされている。
【００５４】
（作用・効果）
上記構成の階段１０を有する建物ユニット９０によっても、前述した第１実施形態と同様の作用・効果が得られる。さらに、上側階段梁６０の上端部６０Ｂ’を天井大梁２４と天井小梁との双方に、又下側階段梁７０の下端部７０Ｂ’を床大梁２８と床小梁９４との双方に接合したので、階段１０にかかる荷重を天井大梁２４と天井小梁の両方、床大梁２８と床小梁９４の両方で支持することができる。従って、支持荷重を分散させることができるというメリットがある。
【００５５】
〔本実施形態の補足説明〕
以上説明した本実施形態では、一般住宅に対して本発明を適用したが、これに限らず、他の用途（商業的用途、工業的用途、農業的用途、福祉施設・公共施設等の非営利目的の行政的用途を含む）の建物に対して本発明を用いてもよい。
【００５６】
また、本実施形態では、ユニット建物１４に対して本発明を適用したが、ユニット形式ではない鉄骨軸組構造の住宅等に対して本発明を適用してもよい。
【図面の簡単な説明】
【００５７】
【図１】第１実施形態に係る階段を有するユニット建物の要部を示す斜視図である。
【図２】天井大梁及び床大梁間に一対の中柱が立設された状態を示す斜視図である。
【図３】図２に示される中柱の組付後の状態を周辺構造を含めて示す縦断面図である。
【図４】図３から天井大梁及び床大梁並びに中柱のみを抽出して描いた側面図である。
【図５】図４に示される中柱等をユニット外方側から見て示す正面図である。
【図６】中柱に上部階段の骨組、下部階段の骨組がそれぞれ取り付けられた状態を示す斜視図である。
【図７】図１に示される建物ユニットを使ったユニット建物の一部を示す見取り図である。
【図８】図７に示される建物ユニットを図７の矢印Ａ方向から見た外観側面図である。
【図９】第２実施形態に係り、スケルトンタイプの階段が設置された建物ユニット（階段ユニット）の斜視図である。
【符号の説明】
【００５８】
１０      階段
１４      ユニット建物
２４      天井大梁
２８      床大梁
３２      中柱
３４      中柱
４８      ボルト
５０      ナット
６０      上側階段梁（階段構造材）
６０Ａ    上側水平部
６０Ａ’ユニット外方側の端部（他の一部）
６０Ｂ    上側屈曲部
６０Ｂ’上端部（一部）
６４      上側踊場パネル
６８      上側踏板
７０      下側階段梁（階段構造材）
７０Ａ    下側水平部
７０Ａ’ユニット外方側の端部（他の一部）
７０Ｂ    下側屈曲部
７０Ｂ’下端部（一部）
７４      下側踊場パネル
７８      下側踏板
９４      床小梁
【図１】
2007146499.tif 000003
【図２】
2007146499.tif 000004
【図３】
2007146499.tif 000005
【図４】
2007146499.tif 000006
【図５】
2007146499.tif 000007
【図６】
2007146499.tif 000008
【図７】
2007146499.tif 000009
【図８】
2007146499.tif 000010
【図９】
2007146499.tif 000011